(57)【特許請求の範囲】
【請求項１】
生体に挿入または装着して使用される長尺のカテーテルと、
液体が密封され、少なくとも１つの開封口を有する容器と、
前記カテーテルと前記容器とを収納する包材とを有する包装体であって、
前記カテーテルは、前記液体との接触を必要とする要接液部と、前記液体との接触を必要としない接液不用部とを有し、
前記開封口の少なくとも１つが、前記要接液部またはその側部近傍に位置していることを特徴とする包装体。
【請求項２】
生体に挿入または装着して使用される長尺の器具と、
液体が密封され、少なくとも１つの開封口を有する容器と、
前記器具と前記容器とを収納する包材とを有する包装体であって、
前記器具は、先端側に前記液体との接触を必要とする要接液部、基端側に前記液体との接触を必要としない接液不用部とを有し、
前記要接液部の全長をＬとしたとき、前記容器の開封口の少なくとも１つが、前記接液不用部と前記要接液部との境界部から３／４Ｌの範囲の部位またはその側部近傍に位置していることを特徴とする包装体。
【請求項３】
前記器具は、カテーテルである請求項２に記載の包装体。
【請求項４】
前記包材は、前記器具の長手方向の移動を規制する機能を有する請求項１ないし３のいずれかに記載の包装体。
【請求項５】
前記包材は、前記容器の前記器具の長手方向の移動を規制する機能を有する請求項１ないし４のいずれかに記載の包装体。
【請求項６】
前記開封口から噴出した液体が衝突する壁部を有する請求項１ないし５のいずれかに記載の包装体。
【請求項７】
前記容器は、シート材をシール部によりシールしてなるものであり、前記開封部は、前記シール部より接合強度が小さい弱シール部で構成されている請求項１ないし６のいずれかに記載の包装体。
【請求項８】
前記包材は、前記器具の接液不用部側に包材開封部を有する請求項１ないし７のいずれかに記載の包装体。
【請求項９】
前記液体の供給量を調節可能とする請求項１ないし８のいずれかに記載の包装体。
【発明の詳細な説明】
【０００１】
【発明が属する技術分野】
本発明は、例えばカテーテルのような長尺な器具を収納した包装体に関するものである。
【０００２】
【従来の技術】
カテーテルのような長尺な医療用器具と、液体が密封され、開封口を有する容器とが包材内に収納された包装体が知られている。この包装体では、包装体を開封する前に、包材の外側から容器を押圧するなどして容器を開封し、容器内の液体を噴出させ、この液体でカテーテルを濡らし、その後、包装体を開封し、カテーテルを取り出して使用する。
【０００３】
包材内でカテーテルに液体を接触させる際には、カテーテルの生体への挿入部（以下、単に「挿入部」と言う）に対しては、確実に、しかも均一に濡らすことが必要であるが、一方で、カテーテル基端側に形成され、手で持ってカテーテルを操作する基部に対しては、手で持ったときに滑って、把持し難くなることを避けるために、液体で濡れることを嫌う。
【０００４】
しかしながら、従来の包装体では、カテーテルに対する液体容器の開封口の位置が定められていないため、カテーテルの挿入部を確実かつ均一に濡らすことができず、また、濡れることを望まないカテーテルの基部が液体で濡れてしまい、カテーテルの挿入等における操作性を阻害するという問題があった。
【０００５】
特に、容器内の液量は、カテーテルの生体への挿入部を過不足なく濡らすことができるように設定され、この液量は、包材の容積に比べ、小さい値であるため、カテーテルの挿入部を均一に濡らすことが困難であり、また、挿入部全体を濡らすまでに、長時間をかける必要があった。
【０００６】
【発明が解決しようとする課題】
本発明の目的は、包材内に収納される器具の要接液部を液体で均一に濡らすことができる包装体を提供することにある。
【０００７】
【課題を解決するための手段】
このような目的は、下記（１）〜（９）の本発明により達成される。
【０００８】
（１）  生体に挿入または装着して使用される長尺のカテーテルと、
液体が密封され、少なくとも１つの開封口を有する容器と、
前記カテーテルと前記容器とを収納する包材とを有する包装体であって、
前記カテーテルは、前記液体との接触を必要とする要接液部と、前記液体との接触を必要としない接液不用部とを有し、
前記開封口の少なくとも１つが、前記要接液部またはその側部近傍に位置していることを特徴とする包装体。
【０００９】
（２）  生体に挿入または装着して使用される長尺の器具と、
液体が密封され、少なくとも１つの開封口を有する容器と、
前記器具と前記容器とを収納する包材とを有する包装体であって、
前記器具は、先端側に前記液体との接触を必要とする要接液部、基端側に前記液体との接触を必要としない接液不用部とを有し、
前記要接液部の全長をＬとしたとき、前記容器の開封口の少なくとも１つが、前記接液不用部と前記要接液部との境界部から３／４Ｌの範囲の部位またはその側部近傍に位置していることを特徴とする包装体。
【００１０】
（３）  前記器具は、カテーテルである上記（２）に記載の包装体。
（４）  前記包材は、前記器具の長手方向の移動を規制する機能を有する上記（１）ないし（３）のいずれかに記載の包装体。
【００１１】
（５）  前記包材は、前記容器の前記器具の長手方向の移動を規制する機能を有する上記（１）ないし（４）のいずれかに記載の包装体。
【００１２】
（６）  前記開封口から噴出した液体が衝突する壁部を有する上記（１）ないし（５）のいずれかに記載の包装体。
【００１３】
（７）  前記容器は、シート材をシール部によりシールしてなるものであり、前記開封部は、前記シール部より接合強度が小さい弱シール部で構成されている上記（１）ないし（６）のいずれかに記載の包装体。
【００１４】
（８）  前記包材は、前記器具の接液不用部側に包材開封部を有する上記（１）ないし（７）のいずれかに記載の包装体。
【００１５】
（９）  前記液体の供給量を調節可能とする上記（１）ないし（８）のいずれかに記載の包装体。
【００１７】
【発明の実施の形態】
以下、本発明の包装体を添付図面に示す好適実施例に基づいて詳細に説明する。
【００１８】
図１は、本発明の包装体の第１実施形態を示す平面図（内部透視図）、図２は、図１中のＡ―Ａ線断面図である。以下、図１（図３〜図１３も同様）中の上側を「基端」、下側を「先端」として説明する。
【００１９】
図１および図２に示すように、本発明の包装体１は、包材２内に、生体に挿入または装着して使用される長尺の器具であるカテーテル３と、液体が密封され容器４とが収納されたものである。
【００２０】
包材２は、対向する一対のシート材２ａ、２ｂで構成されている。図２に示すように、一方のシート材２ａは、平坦な形状に、他方のシート材２ｂは、収納するカテーテル３および容器４の形状に対応するような所望パターンの突出形状（ブリスター形状）に成形されたもので、両シート材２ａ、２ｂを重ね、それらの外周部を融着（熱融着、高周波融着、超音波融着等）または接着（接着剤や溶剤による接着）によりシールしたものである。このシール部２１で囲まれる空間に、包材２の収納空間２０が形成される。
【００２１】
この包材２の基端には、包材開封部２２が形成されている。この包材開封部２２は、両シート材２ａ、２ｂの基端をシールせずに形成した一対にピールタブ２３、２３を互いに反対方向に引っ張ることにより、包材開封部２２のシール部２１を剥離し、開封することができる。
【００２２】
包材開封部２２は、カテーテル３の後述する基部（接液不用部）３２側、特に基部３２の近傍に形成されているため、挿入部３１が液体４４で濡らされたカテーテル３を開封された包材開封部２２から取り出す際に、基部３２が液体４４と接触して濡れることをより有効に防止することができる。
【００２３】
なお、包材開封部の構成は、図示のものに限らず、例えば、包材の縁部に切欠き（ノッチ）が形成され、この切欠き部から包材２を引き裂いて開封するような構成のものでもよい。
【００２４】
包材２は、それに収納されたカテーテル３の基端および先端付近に、それぞれ、シール部２１が存在している。このため、カテーテル３は、包材２内において、その長手方向の移動が規制される。すなわち、カテーテル３は、その長手方向にわずかな距離しか移動することができない。
【００２５】
また、包材２は、それに収納された容器４の基端および先端付近に、それぞれ、シール部２１が存在している。このため、容器４は、包材２内において、カテーテル３の長手方向の移動が規制される。すなわち、容器４は、カテーテル３の長手方向にわずかな距離しか移動することができない。
【００２６】
包材２を構成するシート材（フィルム）２ａ、２ｂとしては、特に限定されないが、例えば、ポリエチレン、ポリプロピレン等のポリオレフィン樹脂、これらポリオレフィン樹脂のブレンド樹脂、ポリエチレンテレフタレート等のポリエステル樹脂、ポリ塩化ビニリデン、塩化ビニル−塩化ビニリデン共重合体等の単層フィルム、これらのフィルムにアルミニウム、シリカ等を蒸着したもの、アルミニウムフィルム、アルミニウムラミネートフィルム等の金属箔または金属箔を含むフィルムを使用することができる。さらには、これら各フィルムを２層以上積層したものを用いることもできる。また、前記シート材としてプラスチック製不織布や紙を用いてもよい。
【００２７】
シート材２ａ、２ｂは、同一の構成（材料）でも、異なる構成（材料）でも良い。例えば、シート材２ａ、２ｂのいずれか一方が、他方に比べて硬質の材料で構成されていてもよい。
【００２８】
また、内容物の視認性を確保するために、シート材２ａ、２ｂのうちの少なくとも一方は、透明であることが好ましい。
【００２９】
包材２を構成するシート材（単層または多層積層体）の厚さは、その層構成や用いる素材の特性（柔軟性、強度、水蒸気透過性、耐熱性等）等に応じて適宜決定され、特に限定されないが、通常は、６０〜７００μｍ程度であるのが好ましく、１００〜５００μｍ程度であるのがより好ましい。
【００３０】
このような包材２を構成するシート材は、例えば、インフレーション法、Ｔダイ法、ブロー成型法、ドライラミネート法、ホットメルトラミネート法、共押出インフレーション法、共押出Ｔダイ法、ホットプレス法等の種々の方法により製造することができる。
【００３１】
包材２内に収納されるカテーテル３は、生体内に挿入される挿入部３１と、カテーテル３を手で持って操作する基部３２とを有している。挿入部３１は、好ましくは可撓性を有する管体で構成されている。この挿入部３１は、生体内への挿入を円滑に行うことが必要とされ、そのために、挿入部３１の表面の全部または一部には、湿潤により潤滑性を発現する物質が付与されているのが好ましい。
【００３２】
このような物質としては、例えば、特開昭６０−２５９２６９号、特開平１−１９５８６３号公報に記載されているような親水性ポリマーが挙げられる。また、例えば、特公平６−３２６５２号、特開平６−７４２６号、国際出願ＷＯ８８０２６２３、国際出願ＷＯ８９０７５２１、国際出願ＷＯ８９０９２４６、国際出願ＷＯ９００１３４４、国際出願ＷＯ９２１９２８９、国際出願ＷＯ９３１１７５１、国際出願ＷＯ９５２９７２２、特表平１０−５０２８５４号、特表平１０−５０２８５５号、特表平１０−５０２８５６号に開示されている物質や方法を用いてもよい。このような物質は、通常、挿入部３１の表面に、湿潤していない状態（乾燥状態）で存在している。
【００３３】
このような物質は、挿入部３１の基材表面に化学結合されたポリマーであって、該基材表面からの剥離や、水、生理等張液、その他潤滑剤等への溶出が生じ難いものが、潤滑性の持続性、安全性の点から好ましい。
【００３４】
このようなことから、カテーテル３の使用に先立ち、容器４から排出された液体４４を挿入部３１に接触させ、湿潤により潤滑性を発現させる。従って、挿入部３１は、液体４４との接触を必要とする要接液部を構成する。
【００３５】
一方、カテーテル３の基部３２は、手で持つ部分であるため、液体４４で濡れていると、滑りやすく、カテーテル３の操作性を低下させ、また、手にも液体が付着するので、好ましくない。従って、基部３２は、液体４４との接触を必要としない（特に、液体４４との接触を嫌う）接液不用部を構成する。
【００３６】
包材２内に収納されるカテーテル３の種類、用途等は、特に限定されず、例えば、気管、消化管、尿道、膣、血管、リンパ管、胆管、その他の体腔や、例えば肺、心臓、腎臓等の各種臓器、その他の生体組織等へ挿入される種々のカテーテル、バルーンカテーテル等が挙げられる。この中でも、特に、尿道に挿入して使用されるカテーテル（尿道カテーテル、導尿カテーテル）が好ましい。
【００３７】
排尿障害における導尿法は、留置カテーテルではなく無菌間歇導尿法が好ましいが、近年、患者自身がカテーテルを使って尿を排出する自己導尿が有効な治療方法として普及してきている。排尿障害は、前立腺肥大症、結石、腫瘍などによる尿道閉塞や、脳・脊髄および骨盤神経などの障害により見られる神経因性膀胱によって起こるが、尿を完全に出しきれない状態になると、尿路内圧が上がって腎臓に負担をかけるので、定期的に尿を排出する必要がある。この際に行われる自己導尿法は、低圧で完全に尿を排出できるので、既にある尿感染が低減する、頻尿、尿失禁が治る、膀胱と腎臓に負担をかけない等の利点があり、患者自身が１日４〜６回程度、尿道から膀胱内にカテーテルを挿入し、尿の排出が終了したら抜去する。その頻度は、例えば、昼間は４〜６時間毎、夜間は就寝前とされる。
【００３８】
従って、カテーテル３の基部（接液不用部）３２を、液体４４で濡れていない状態（乾燥状態）に保つことができれば、医療器具の取り扱いに不慣れな患者にとっては、カテーテル３の操作性が向上し、より簡便かつ確実に自己導尿を行なうことができる。同様に医療従事者にとっても、業務の効率化に寄与するものである。
【００３９】
カテーテル３の挿入部３１の長さは、特に限定されないが、カテーテル３が尿道に挿入して使用されるカテーテルである場合、１３〜４０００ｍｍ程度が好ましく、７０〜５００ｍｍ程度がより好ましい。
【００４０】
また、図示では、挿入部３１は、直線状をなしているが、所望に湾曲した状態で、収納されていてもよい。
【００４１】
容器４は、筒状に成形されたシート材（インフレーションシート材）の両端部を融着（または接着）し、袋状としたものである。また、シート材は筒状に限定されない。シート材中央部を折り曲げ三方をシールしたものでもよい。容器４内には、後述するような液体４４が密閉されている。
【００４２】
このような容器４は、その容量を選択することにより、容器４内の液体４４の量や重量を容易に設定することができ、また、容器４は単独で製造可能なので、製造・管理がし易い。
【００４３】
容器４の先端部および基端部には、それぞれ、シール部４１、４２が形成されている。このうち、基端側のシール部４１には、容器４の開封口４３が形成されている。この開封口４３は、容易かつ確実に開封されれば、その構成は特に限定されないが、好ましくは、シール部４１、４２より接合強度（剥離強度）が弱い弱シール部で構成されている。これにより、容器４を包材２の外部から指等で押圧・圧迫したとき、容易かつ確実に開封口４３が剥離して開封することができる。
【００４４】
また、開封口４３の弱シール部は、その図１中横方向の長さが、先端から基端に向かって漸減した形状を成している。これにより、開封口４３が開封され、内部の液体４４が噴出する際、その液体４４の噴出方向の指向性が向上する。すなわち、図１に示す実施形態では、液体４４は、開封口４３より基端方向（カテーテル３の基部３２へ向かう方向）に向かって噴出する。
【００４５】
なお、本発明では、容器４の配置や容器４における開封口４３の形成位置、形状等により、容器４からの液体４４の噴出方向を任意に設定することができるが、この噴出方向（噴流の中心の方向）は、包材２の基端方向（基部３２に向かう方向）から図１中反時計回りに９０°の範囲内の方向であるのが好ましい。これにより、カテーテル３の挿入部３１を液体４４でより均一に濡らすことができる。
【００４６】
なお、開封口（弱シール部）４３の形成は、例えば、シール部４１、４２に比べ、より低温で融着することにより行なうことができる。ただし、開封口４３においても、開封前の状態では、液密性（気密性）が確保されている。
【００４７】
容器４を構成するシート材（フィルム）としては、紙や不織布を除いて制限されず、前記包材２を構成するシート材と同様の構成のものを用いることができる。
【００４８】
容器４を構成するシート材（単層または多層積層体）の厚さは、その層構成や用いる素材の特性（柔軟性、強度、水蒸気透過性、耐熱性等）等に応じて適宜決定され、特に限定されないが、通常は、６０〜７００μｍ程度であるのが好ましく、１００〜５００μｍ程度であるのがより好ましい。
【００４９】
このような容器４を構成するシート材は、例えば、インフレーション法、共押出インフレーション法、Ｔダイ法、ブロー成型法、ドライラミネート法、ホットメルトラミネート法、共押出Ｔダイ法、ホットプレス法等の種々の方法により製造することができる。
【００５０】
容器４内に収納される液体４４としては、カテーテル３の挿入部３１の表面と接触してその摩擦抵抗を低減させることができる物質を用いることができ、例えば、水、生理等張液（生理食塩水）、グリセリン、シリコーンオイル、オリーブオイル等のオイル類、キシロカインゼリー等（以下、これらを総称して「潤滑剤」と言う）が挙げられる。
【００５１】
カテーテル３の挿入部３１の表面に前述したような湿潤により潤滑性を発現する物質が付与されている場合、液体４４は、この物質を湿潤させることができるものであればいかなるものでもよく、例えば、水、生理等張液（生理食塩水）、グリセリン水溶液等がより好ましく用いられる。
【００５２】
また、図示されていないが、包材２内には、液体４４等を吸収し、保持することができる吸収体（液体吸収体）が収納されていてもよい。
【００５３】
これにより、カテーテル３の挿入部３１と液体４４とを接触させた後、余剰の液体４４を吸収体で吸収、保持することが可能となる。従って、カテーテル３の基部３２が液体４４と接触し、濡れてしまう可能性がより低くなる。
【００５４】
吸収体としては、特に限定されないが、例えば、ポリアクリル酸塩系、ポリビニルアルコール系、ポリアクリルアミド系、ポリオキシエチレン系またはマレイン酸系材料などの合成ポリマーや、デンプン、セルロース、アルギン酸のような多糖類材料などの天然材料などのような高分子吸水性材料で構成されたものが好ましい。また、その他、例えば、スポンジ、綿、ガーゼ、不織布やそれらに上記高分子吸水性材料を担持したもの（例えば、おむつ、生理用品などに用いられているもの）も可能である。このような吸収体は、ブロック状、粉末状、フィルム状、シート状（板状）、繊維状などの形態（形状）をとることができる。
【００５５】
吸収体の包材２内での位置は、特に限定されないが、例えば、カテーテル３の先端部付近が好ましい。これにより、容器４から流出した液体４４が、カテーテル３の挿入部３１と十分に接触した後、吸収体で吸収、保持されることになり、液体４４の利用効率が良い。
【００５６】
本発明では、包材２内における容器４の開封口４３のカテーテル３に対する位置に特徴を有する。以下、詳述する。
【００５７】
容器４の開封口４３は、カテーテル３の挿入部（要接液部）３１またはその側部近傍に位置している。特に、挿入部（要接液部）３１の全長をＬとしたとき、開封口４３が、挿入部３１と基部３２との境界部から３／４Ｌの範囲の部位またはその側部近傍に位置していることが好ましい。
【００５８】
開封口４３がこのような位置にあると、カテーテル３の基部（接液不用部）３２が開封口４３から噴出した液体４４で濡れにくく、しかも、その液体４４で挿入部（要接液部）３１を迅速に、均一に濡らすことができる。
【００５９】
包材２の、容器４の開封口４３に対面する位置には、シール部２１による壁部２４が形成されている。この壁部２４は、開封口４３から噴出する液体４４の噴出方向とほぼ直交している。このような壁部２４を設けたことにより、次のような作用・効果を生じる。
【００６０】
開封口４３から噴出した液体４４は、まず壁部２４に衝突し、その勢いが緩和されるとともに、その側方、すなわちカテーテル３の挿入部３１がある側へ広い角度で飛散する。よって、液体４４が挿入部３１の長手方向に広がり、挿入部３１を均一に濡らすことができる。
【００６１】
次に、前述した包装体１の使用方法（作用）の一例について説明する。
例えば、包装体１を水平にした状態で、包材２の外部から容器４を指等で押圧・圧迫する。これにより、容器４の開封口４３の弱シール部が剥離（破断）して開封口４３が開き、該開封口４３より容器４内の液体４４が噴出する。
【００６２】
開封口４３から噴出した液体４４は、まず壁部２４に衝突し、その勢いが緩和されるとともに、その側方へ比較的広い角度で飛散する。これにより、液体４４が挿入部３１の長手方向に広がり、挿入部３１の少なくとも基端側の部分を均一に濡らす。このとき、カテーテル３の基部３２は、ほとんど液体４４で濡れないか、または、濡れたとしても、基部３２の先端側が部分的に濡れる程度である。
【００６３】
また、必要に応じ、包装体１を、その先端が鉛直下方に向くような姿勢とする。これにより、挿入部３１の表面に付着している液体４４が挿入部３１の表面に沿って流下し、挿入部３１の先端まで、満遍なく、均一に濡らすことができる。
【００６４】
なお、包材２の収納空間２０に前記吸収体（図示せず）が収納されている場合には、余剰の液体４４がこの吸収体で吸収、保持される。これにより、例えば、誤って、包装体１の基端を鉛直下方に向けてしまったような場合でも、カテーテル３の基部３２が余剰の液体４４と接触し、濡れてしまうことを防止することができる。
【００６５】
以上のようにして挿入部３１の表面が液体４４で濡れると、挿入部３１の表面は、潤滑性を発現し、摩擦抵抗が低減する。
【００６６】
なお、容器４の開封口４３を開封後、必要に応じ、包材２の外部から指で容器４をしごくなどして、容器４内の液体４４を残らず排出する操作を行ってもよい。
【００６７】
包材２の内部および容器４の内部は、予め滅菌処理が施されており、しかも、液体４４との接触によりカテーテル３の挿入部３１の表面に潤滑性を発現させる操作は、密閉された包材２の収納空間２０内で外気と接触することなく行われるため、カテーテル３は、無菌性を保持することができる。
【００６８】
以上のようにしてカテーテル３の挿入部３１の表面が液体４４で濡れ、潤滑性を発現したら、包材２の包材開封部２２を剥離（破断）して開封する。
【００６９】
そして、カテーテル３の基部３２を手で持ち、カテーテル３を包材２内より取り出す。このとき、カテーテル３の基部（接液不用部）３２は、液体４４で濡れていないため、基部３２を手で持ったときに濡れにより滑ることがなく、このカテーテル３の取り出し操作を迅速、確実に行うことができる。
【００７０】
また、カテーテル３の基部（接液不用部）３２は、包材開封部２２の近傍に位置しているため、包材２からのカテーテル３の取り出し操作の際にも、基部３２が包材２の内面等に付着した液体４４と接触し、濡れるということが防止される。
【００７１】
包材２から取り出されたカテーテル３は、その挿入部３１が生体の目的部位に挿入または装着される。カテーテル３が尿道カテーテル（導尿カテーテル）である場合には、その挿入部３１を先端側から尿道および膀胱に挿入し、このカテーテル３を介して排尿する。このとき挿入部３１の表面が潤滑性を有しているため、円滑かつ安全に行うことができる。
【００７２】
また、このような生体への挿入操作は、カテーテル３の基部３２を手で把持して行なうが、前述したように、カテーテル３の基部３２は、液体４４で濡れていないため、基部３２を手で持ったときに濡れにより滑ることがなく、よって、このカテーテル３の生体への挿入操作を迅速、確実に行うことができる。
【００７３】
図３は、本発明の包装体の第２実施形態を示す平面図（内部透視図）である。以下、図３に示す包装体１について、前記第１実施形態との相違点を中心に説明し、同様の事項については、その説明を省略する。
【００７４】
第２実施形態の包装体１は、収納されるカテーテル３の基部３２の構成が異なっている。すなわち、基部３２には、斜め側方に突出する分岐管３３が形成されている。このため、包材２の収納空間２０およびシール部２１は、この分岐管３３付きの基部３２を収納できるよう、これに対応した形状とされている。
【００７５】
また、この包装体１では、包材２内での容器４の設置位置が、前記第１実施形態に比べ、基端側により近い位置とされている。
【００７６】
図４は、本発明の包装体の第３実施形態を示す平面図（内部透視図）である。以下、図４に示す包装体１について、前記第１実施形態との相違点を中心に説明し、同様の事項については、その説明を省略する。
【００７７】
第３実施形態の包装体１は、包材２内での容器４の開封口４３が、挿入部３１と基部３２との境界部から３／４Ｌ付近に位置している。容器４４の先端は、挿入部３１の先端より先端側に位置している。
【００７８】
図５は、本発明の包装体の第４実施形態を示す平面図（内部透視図）である。以下、図５に示す包装体１について、前記第１実施形態との相違点を中心に説明し、同様の事項については、その説明を省略する。
【００７９】
第４実施形態の包装体１は、壁部２４に代わり、テーパ状の壁部２５が形成されている。この壁部２５は、開封口４３から噴出する液体４４の噴出方向に対し、所定角度傾斜している。これにより、開封口４３から噴出した液体４４は、図５中の矢印で示すように、テーパ状の壁部２５に衝突し、カテーテル３の挿入部３１に向けて広い角度で飛散する。これにより、液体４４が挿入部３１の長手方向に満遍なく広がり、挿入部３１の広範囲をより均一に濡らすことができる。
【００８０】
図６は、本発明の包装体の第５実施形態を示す平面図（内部透視図）である。以下、図６に示す包装体１について、前記第１実施形態との相違点を中心に説明し、同様の事項については、その説明を省略する。
【００８１】
第５実施形態の包装体１は、容器４の開封口４３が、カテーテル３に対し、斜め基端方向に向くように設置されている。包材２内には、容器４をこのような姿勢に維持しつつ収納する容器収納ポケット２６が形成されている。
【００８２】
この包装体１では、容器４からの液体４４の噴出方向（噴出の中心の方向）は、包材２の基端方向（基部３２に向かう方向）から図１中反時計回りに９０°の範囲となっている。
【００８３】
このような構成としたことにより、開封口４３より噴出した液体４４が、挿入部３１の特に基端側部分をより確実に、均一に濡らすことができる。
【００８４】
図７は、本発明の包装体の第６実施形態を示す平面図（内部透視図）である。以下、図７に示す包装体１について、前記第１実施形態との相違点を中心に説明し、同様の事項については、その説明を省略する。
【００８５】
第６実施形態の包装体１は、容器４が複数の開封口４３を持っている。容器４の図７中右端部および左端部には、それぞれ、シール部４１、４２が形成され、シール部４２には、弱シール部で構成される３つの開封口４３が形成されている。各開封口４３は、ほぼ等間隔で配置されている。また、各開封口４３の弱シール部の形状およびその作用・効果は、前記と同様である。
【００８６】
この容器４の全ての開封口４３は、挿入部３１の方向（挿入部３１の長手方向とほぼ垂直な方向）を向いている。これにより、各開封口４３からの液体４４の噴出方向（噴出の中心の方向）は、包材２の基端方向（基部３２に向かう方向）から図７中反時計回りに約９０°の方向となる。
【００８７】
また、容器４の全ての開封口４３は、挿入部３１と基部３２との境界部から３／４Ｌの範囲内の近傍に位置している。ただし、３つの開封口４３のうちの少なくとも１つが、カテーテル３の挿入部（要接液部）３１またはその側部近傍に位置していればよく、特に、挿入部３１と基部３２との境界部から３／４Ｌの範囲の部位またはその側部近傍に位置していればよい。
【００８８】
なお、本実施形態では、３つの開封口４３のうちの一部（任意の１つまたは２つの開封口４３）のみを開封してもよい。この場合、開封しない開封口４３を包材２の外部から指等で摘んだ状態で、容器４を押圧、圧迫すればよい。
【００８９】
図８は、本発明の包装体の第７実施形態を示す平面図（内部透視図）である。以下、図８に示す包装体１について、前記第１および第６実施形態との相違点を中心に説明し、同様の事項については、その説明を省略する。
【００９０】
第７実施形態の包装体１は、容器４の図８中右端部および左端部には、それぞれ、シール部４１、４２が形成され、さらに、容器４の内部が、仕切り部（シール部）４５により２つの空間に仕切られており、それぞれの空間に液体４４ａ、４４ｂが収納されている。この場合、両空間の容積は、異なっているのが好ましい。
【００９１】
液体４４ａと液体４４ｂとは、同一のものでも、組成が異なるものでもよい。液体４４ａと液体４４ｂとが同一のものである場合、液体の供給量を例えば３段階に調整することができる。液体４４ａと液体４４ｂの双方を排出すれば、液体の合計の供給量は、最も多く、液体４４ａのみを排出すれば、液体の供給量は、中程度となり、液体４４ｂのみを排出すれば、液体の供給量は、最も少なくなる。
【００９２】
また、液体４４ａと液体４４ｂとが組成の異なるものである場合、反応等による変質、劣化を防止するために、使用するまでは別々に保存しておき、使用に際し、両液を混合することが好ましいようなときに適用することができる。例えば、液体４４ａ、液体４４ｂに密封される液体としては、麻酔薬、消毒薬、抗血栓薬、抗生剤、潤滑剤等のうちから、２材とすることができる。また、図示しないが、必要に応じて液体容器を増設し、前記液体から３剤以上の組み合わせとすることもできる。
【００９３】
また、容器４は、シール部４２に、弱シール部で構成される３つの開封口４３を有している。そのうちの２つの開封口４３は、容器４内の一方の空間（基端側の空間）内の液体４４ａを排出し、残りの１つの開封口４３は、容器４内の他方の空間（先端側の空間）内の液体４４ｂを排出する。各開封口４３の弱シール部の形状およびその作用・効果は、前記と同様である。
【００９４】
この容器４の全ての開封口４３は、挿入部３１の方向（挿入部３１の長手方向とほぼ垂直な方向）を向いている。これにより、各開封口４３からの液体４４の噴出方向（噴出の中心の方向）は、包材２の基端方向（基部３２に向かう方向）から図８中反時計回りに約９０°の方向となる。
【００９５】
また、容器４の全ての開封口４３は、挿入部３１と基部３２との境界部から３／４Ｌの範囲内の近傍に位置している。ただし、３つの開封口４３のうちの少なくとも１つが、カテーテル３の挿入部（要接液部）３１またはその側部近傍に位置していればよく、特に、挿入部３１と基部３２との境界部から３／４Ｌの範囲の部位またはその側部近傍に位置していればよい。
【００９６】
なお、本実施形態の包装体１では、挿入部３１の側部に形成されたシール部２１の、仕切り部４５付近の位置に、挿入部３１に向かって突出する山状の突出部２７が形成されている。この突出部２７は、容器４から排出された液体４４ａと液体４４ｂの流れを規制する機能を有する。
【００９７】
図９は、本発明の包装体の第８実施形態を示す平面図（内部透視図）である。以下、図９に示す包装体１について、前記第１および第６実施形態との相違点を中心に説明し、同様の事項については、その説明を省略する。
【００９８】
第８実施形態の包装体１は、容器４の構成が異なる。この容器４は、シート材を重ね、その外周をシール部４１でシールして袋状としたものである。容器４の４辺のうちの図９中左側の辺と、基端側の辺とに、それぞれ、弱シール部で構成される開封口４３ａ、４３ｂが形成されている。
【００９９】
開封口４３ａは、前記開封口４３と同様の形状をなしており、挿入部３１の方向（挿入部３１の長手方向とほぼ垂直な方向）を向いている。これにより、開封口４３ａからの液体４４の噴出方向（噴出の中心の方向）は、包材２の基端方向（基部３２に向かう方向）から図９中反時計回りに約９０°の方向となる。
【０１００】
開封口４３ｂは、その一端が容器４の縁部と垂直、他端が縁部に対して傾斜した形状をなしており、これにより、開封口４３ｂから噴出する液体４３は、基端方向から挿入部３１側へ向いた斜めの方向に噴出する。そして、この噴出した液体４３は、図９中の矢印で示すように、壁部２４に衝突して、拡散される。
【０１０１】
容器４の全ての開封口４３ａ、４３ｂは、挿入部３１と基部３２との境界部から３／４Ｌの範囲内の近傍に位置している。ただし、これに限定されないことは、前記各実施形態で述べたのと同様である。
【０１０２】
なお、開封口４３ａ、４３ｂのうちのいずれか一方のみを開封してもよいことは、前述した通りである。
【０１０３】
図１０は、本発明の包装体の第９実施形態を示す平面図（内部透視図）である。以下、図１０に示す包装体１について、前記第１および第７実施形態との相違点を中心に説明し、同様の事項については、その説明を省略する。
【０１０４】
第９実施形態の包装体１は、包材２内に２つの容器４が収納されている。カテーテル３の挿入部３１の両側部には、それぞれ、容器収納ポケット２８ａ、２８ｂが形成されており、それらには、前記と同様の容器４が収納されている。
【０１０５】
各容器４に収納されている液体４４ａ、４４ｂについては、前記第７実施形態で述べたのと同様である。
【０１０６】
両容器４共に、開封口４３は、挿入部３１と基部３２との境界部から３／４Ｌの範囲内の近傍に位置している。ただし、これに限定されないことは、前記各実施形態で述べたのと同様である。
【０１０７】
本実施形態では、いずれか一方の容器４のみを開封してもよい。これにより、液体の供給量を調整することができることは、前述した通りである。
【０１０８】
また、図示と異なり、両容器４の開封口４３のカテーテル長手方向の位置は、異なっていてもよい。また、両容器４は、同一のものに限らず、容器４の形状、容量、開封口４３の形状、設置位置、設置数等のいずれか１つ以上が異なるものでもよい。例えば、一方の容器を、図７、図８または図９に示す構成の容器４とすることができる。
【０１０９】
図１１は、本発明の包装体の第１０実施形態を示す平面図（内部透視図）である。以下、図１１に示す包装体１について、前記第１および第９実施形態との相違点を中心に説明し、同様の事項については、その説明を省略する。
【０１１０】
第１０実施形態の包装体１は、容器収納ポケット２８ａ、２８ｂの基端部におて、壁部２４に代わりテーパ状の壁部２５が形成されていること以外は、前記第９実施形態と同様である。この壁部２５は、開封口４３から噴出する液体４４の噴出方向に対し、所定角度傾斜している。開封口４３から噴出した液体４４は、図１１中の矢印で示すように、テーパ状の壁部２５に衝突し、カテーテル３の挿入部３１に向けて広い角度で飛散する。これにより、液体４４が挿入部３１の長手方向に満遍なく広がり、挿入部３１の広範囲をより均一に濡らすことができる。
【０１１１】
図１２は、本発明の包装体の第１１実施形態を示す平面図（内部透視図）である。以下、図１２に示す包装体１について、前記第１実施形態との相違点を中心に説明し、同様の事項については、その説明を省略する。
【０１１２】
第１１実施形態の包装体１は、容器４がカテーテル３の挿入部３１に重ねられて収納されている。容器４の形状は、第１実施形態に比べて、図１１中横方向に長い形状となっている。
【０１１３】
図１３は、本発明の包装体の第１２実施形態を示す平面図（内部透視図）である。以下、図１１に示す包装体１について、前記第１、第１０および第１１実施形態との相違点を中心に説明し、同様の事項については、その説明を省略する。
【０１１４】
第１２実施形態の包装体１は、容器４がカテーテル３の挿入部３１に重ねられて収納されている。この場合、容器４の基端側のシール部４２には、２つの開封口４３が形成されている。
【０１１５】
また、各開封口４３の基端側には、それぞれ、前記第１０実施形態と同様のテーパ状の壁部２５が形成されている。開封口４３から噴出した液体４４は、図１３中の矢印で示すように、テーパ状の壁部２５に衝突し、カテーテル３の挿入部３１に向けて広い角度で飛散する。これにより、液体４４が挿入部３１の長手方向に満遍なく広がり、挿入部３１の広範囲をより均一に濡らすことができる。
【０１１６】
なお、いずれか一方の開封口４３のみを開封してもよいことは、前述した通りである。
【０１１７】
以上、本発明を図示の各実施形態に基づいて説明したが、本発明はこれらに限定されるものではない。
【０１１８】
本発明において、例えば、生体に挿入または装着して使用される長尺のカテーテル３としては、以下のようなものが挙げられる。
【０１１９】
・  胃管カテーテル、栄養カテーテル、経管栄養用チューブ、酸素カテーテル、酸素カヌラ、気管内チューブのチューブやカフ、気管切開チューブのチューブやカフ、気管内吸引カテーテル等の経口または経鼻的に挿入、留置されるカテーテル類。
【０１２０】
・  吸引カテーテル、排液カテーテル、腹腔カテーテル、直腸カテーテル、トロッカー等の各種体腔、臓器、組織内に挿入、留置されるカテーテル類。
【０１２１】
・  血管造影用カテーテル、ＰＴＣＡ用バルーンカテーテル、ＩＡＢＰ用バルーンカテーテル、静脈留置カテーテル、動注用カテーテル等の血管内に挿入、留置されるカテーテル類。
【０１２２】
・  単独で、または、前記各カテーテル類とともに使用される各種ガイドワイヤー。
【０１２３】
・  人工血管、ステント、人工肛門、人工骨、人工関節、補綴物、義眼
・  注射針、留置針、シース、カテーテルイントロデューサ。
・  内視鏡、心拍出量測定器具、超音波測定・診断器具、超音波破砕プローブ、ペースメーカー、体温計。
【０１２４】
・  縫合用または結紮用の糸
・  浣腸
・  コンドーム等の避妊具
また、包材２内には、前述した以外の任意のものが収納されていてもよい。
【０１２５】
【発明の効果】
以上述べたように、本発明の包装体によれば、包材内に収納される器具の接液不用部は液体で濡らさず、要接液部は液体で均一に濡らすことができる。
【０１２６】
そして、このような作業は、開封前の包材内で無菌的に行なうことができ、しかも、その作業は、極めて簡単で、迅速、確実に行なうことができる。
【０１２７】
このようなことから、医療器具に適用した場合、医師や看護婦のみならず、患者自身が自分で器具を使用する場合に、有利である。
【図面の簡単な説明】
【図１】本発明の包装体の第１実施形態を示す平面図（内部透視図）である。
【図２】図１中のＡ―Ａ線断面図である。
【図３】本発明の包装体の第２実施形態を示す平面図（内部透視図）である。
【図４】本発明の包装体の第３実施形態を示す平面図（内部透視図）である。
【図５】本発明の包装体の第４実施形態を示す平面図（内部透視図）である。
【図６】本発明の包装体の第５実施形態を示す平面図（内部透視図）である。
【図７】本発明の包装体の第６実施形態を示す平面図（内部透視図）である。
【図８】本発明の包装体の第７実施形態を示す平面図（内部透視図）である。
【図９】本発明の包装体の第８実施形態を示す平面図（内部透視図）である。
【図１０】本発明の包装体の第９実施形態を示す平面図（内部透視図）である。
【図１１】本発明の包装体の第１０実施形態を示す平面図（内部透視図）である。
【図１２】本発明の包装体の第１１実施形態を示す平面図（内部透視図）である。
【図１３】本発明の包装体の第１２実施形態を示す平面図（内部透視図）である。
【符号の説明】
１              包装体
２              包材
２ａ            シート材
２ｂ            シート材
２０            収納空間
２１            シール部
２２            包材開封部
２３            ピールタブ
２４            壁部
２５            壁部
２６            容器収納ポケット
２７            突出部
２８ａ          容器収納ポケット
２８ｂ          容器収納ポケット
３              カテーテル
３１            挿入部（要接液部）
３２            基部（接液不用部）
３３            分岐管
４              容器
４１            シール部
４２            シール部
４３            開封口（弱シール部）
４３ａ          開封口（弱シール部）
４３ｂ          開封口（弱シール部）
４４            液体
４４ａ          液体
４４ｂ          液体
４５            仕切り部
【図１】
0004298875.tif 000002
【図２】
0004298875.tif 000003
【図３】
0004298875.tif 000004
【図４】
0004298875.tif 000005
【図５】
0004298875.tif 000006
【図６】
0004298875.tif 000007
【図７】
0004298875.tif 000008
【図８】
0004298875.tif 000009
【図９】
0004298875.tif 000010
【図１０】
0004298875.tif 000011
【図１１】
0004298875.tif 000012
【図１２】
0004298875.tif 000013
【図１３】
0004298875.tif 000014